(57)【要約】【課題】ミュート設定時における処理負荷を軽減することが可能な画像供給装置等を提供すること。【解決手段】ＰＣ２００が、操作情報に基づき、プロジェクタ１００に対する画像のミュート指示を示すミュート設定操作が行われたかどうかを判定する判定部２４０と、描画メモリ２６０に書き込まれた画像を表示する表示部２９０と、描画メモリ２６０における前記画像の少なくとも一部をキャプチャーして画像情報を生成するとともに、前記ミュート設定操作が行われた場合に前記画像情報の生成を停止するキャプチャー部２２０と、前記ミュート設定操作が行われたことを示すミュート画像データ２７２を記憶する記憶部２７０と、プロジェクタ１００へ向け前記画像情報を送信するとともに、前記ミュート設定操作が行われた場合に前記画像情報に代えてミュート画像データ２７２をプロジェクタ１００へ向け送信する送信部２１０を含んで構成されている。【選択図】図１
2009186890.tif 000002
【特許請求の範囲】
【請求項１】
画像供給装置における操作情報に基づき、表示装置に対する画像のミュート指示を示すミュート設定操作が行われたかどうかを判定する判定部と、
描画メモリに書き込まれた画像を表示する表示部と、
前記描画メモリにおける前記画像の少なくとも一部をキャプチャーして当該画像の少なくとも一部を示す画像情報を生成するとともに、前記ミュート設定操作が行われた場合に前記画像情報の生成を停止するキャプチャー部と、
前記ミュート設定操作が行われたことを示すミュート画像データを記憶する記憶部と、
前記表示装置へ向け前記画像情報を送信するとともに、前記ミュート設定操作が行われた場合に前記画像情報に代えて前記ミュート画像データを前記表示装置へ向け送信する送信部と、
を含むことを特徴とする画像供給装置。
【請求項２】
請求項１に記載の画像供給装置において、
前記判定部は、前記操作情報に基づき、前記表示装置における画像のミュート解除指示を示すミュート解除操作が行われたかどうかを判定し、
前記キャプチャー部は、前記ミュート解除操作が行われた場合に、前記画像のキャプチャーを再開し、
前記送信部は、前記ミュート解除操作が行われた場合に、前記ミュート画像データに代えて前記画像情報を前記表示装置へ向け送信することを特徴とする画像供給装置。
【請求項３】
請求項２に記載の画像供給装置において、
前記判定部は、前記キャプチャー部に、前記画像情報の初回送信時および前記画像情報の供給再開時に前記描画メモリにおける前記画像の全体を示す画像情報を生成させ、前記画像情報の初回送信時ではなく、かつ、前記画像情報の供給再開時ではない場合に、前記描画メモリにおける前回の描画時と比較して変化した領域の画像を示す画像情報を生成させることを特徴とする画像供給装置。
【請求項４】
請求項２、３のいずれかに記載の画像供給装置において、
前記送信部は、前記ミュート画像データの送信後、前記ミュート解除操作が行われるまで送信を停止することを特徴とする画像供給装置。
【請求項５】
描画メモリと、記憶部と、送信部と、表示部とを含む画像供給装置の有するコンピュータに、
前記画像供給装置における操作情報に基づき、表示装置に対する画像のミュート指示を示すミュート設定操作が行われたかどうかを判定するステップと、
前記表示部に対し、前記描画メモリに書き込まれた画像を表示させる制御を行うステップと、
前記描画メモリにおける前記画像の少なくとも一部をキャプチャーして当該画像の少なくとも一部を示す画像情報を生成するとともに、前記ミュート設定操作が行われた場合に前記画像情報の生成を停止するステップと、
前記記憶部に対し、前記ミュート設定操作が行われたことを示すミュート画像データを記憶させる制御を行うステップと、
前記送信部に対し、前記表示装置へ向け前記画像情報を送信させるとともに、前記ミュート設定操作が行われた場合に前記画像情報に代えて前記ミュート画像データを前記表示装置へ向け送信させる制御を行うステップとを実行させることを特徴とするプログラム。
【請求項６】
描画メモリと、記憶部と、送信部と、表示部とを含む画像供給装置の有するコンピュータにより読み取り可能なプログラムを記憶した情報記憶媒体であって、
請求項５に記載のプログラムを記憶した情報記憶媒体。
【発明の詳細な説明】
【技術分野】
【０００１】
本発明は、画像供給装置、プログラムおよび情報記憶媒体に関する。
【背景技術】
【０００２】
例えば、特開２００６−５８６６８号公報に記載されているように、ＰＣ(Personal Computer)で表示されている画像の画像情報を、ＰＣがネットワークを介してプロジェクタに送信し、プロジェクタがＰＣで表示されている画像と同じ画像を表示する場合がある。また、ＰＣ等の画像供給装置が、プロジェクタ等の表示装置における画像のミュート設定指示コマンドを送信する場合がある。
【特許文献１】特開２００６−５８６６８号公報
【発明の開示】
【発明が解決しようとする課題】
【０００３】
しかし、画像供給装置から表示装置にミュート設定指示コマンド等を送信することができるのは相互にミュート設定指示コマンド等の送受信およびコマンドの解釈が可能な場合であり、相互に画像情報の送受信機能しか有していない場合、画像供給装置が表示装置にコマンドを送信してミュート設定指示を行うことは不可能である。
【０００４】
また、相互にミュート設定指示コマンド等の送受信およびコマンドの解釈が可能な場合であっても、画像供給装置は、ミュート設定指示を行った後も画像情報の生成等を続行しているため、実際には不要な処理負荷が発生していた。
【０００５】
本発明の目的は、より汎用的に表示装置に対するミュート設定を行うことができるとともに、ミュート設定時における処理負荷を軽減することが可能な画像供給装置、プログラムおよび情報記憶媒体を提供することにある。
【課題を解決するための手段】
【０００６】
上記課題を解決するため、本発明に係る画像供給装置は、画像供給装置における操作情報に基づき、表示装置に対する画像のミュート指示を示すミュート設定操作が行われたかどうかを判定する判定部と、描画メモリに書き込まれた画像を表示する表示部と、前記描画メモリにおける前記画像の少なくとも一部をキャプチャーして当該画像の少なくとも一部を示す画像情報を生成するとともに、前記ミュート設定操作が行われた場合に前記画像情報の生成を停止するキャプチャー部と、前記ミュート設定操作が行われたことを示すミュート画像データを記憶する記憶部と、前記表示装置へ向け前記画像情報を送信するとともに、前記ミュート設定操作が行われた場合に前記画像情報に代えて前記ミュート画像データを前記表示装置へ向け送信する送信部と、を含むことを特徴とする。
【０００７】
また、本発明に係るプログラムは、描画メモリと、記憶部と、送信部と、表示部とを含む画像供給装置の有するコンピュータに、前記画像供給装置における操作情報に基づき、表示装置に対する画像のミュート指示を示すミュート設定操作が行われたかどうかを判定するステップと、前記表示部に対し、前記描画メモリに書き込まれた画像を表示させる制御を行うステップと、前記描画メモリにおける前記画像の少なくとも一部をキャプチャーして当該画像の少なくとも一部を示す画像情報を生成するとともに、前記ミュート設定操作が行われた場合に前記画像情報の生成を停止するステップと、前記記憶部に対し、前記ミュート設定操作が行われたことを示すミュート画像データを記憶させる制御を行うステップと、前記送信部に対し、前記表示装置へ向け前記画像情報を送信させるとともに、前記ミュート設定操作が行われた場合に前記画像情報に代えて前記ミュート画像データを前記表示装置へ向け送信させる制御を行うステップとを実行させることを特徴とする。
【０００８】
また、本発明に係る情報記憶媒体は、描画メモリと、記憶部と、送信部と、表示部とを含む画像供給装置の有するコンピュータにより読み取り可能なプログラムを記憶した情報記憶媒体であって、上記プログラムを記憶したことを特徴とする。
【０００９】
本発明によれば、画像供給装置は、ミュート設定操作が行われた場合にミュート画像データを表示装置へ向け送信することにより、画像情報の伝送路と同一の伝送路を使用してミュート画像データを送信することができるため、より汎用的に表示装置に対するミュート設定を行うことができる。
【００１０】
また、本発明によれば、画像供給装置は、ミュート設定操作が行われた場合に画像情報の生成、送信を停止することにより、ミュート設定時における処理負荷を軽減することができる。
【００１１】
また、前記判定部は、前記操作情報に基づき、前記表示装置における画像のミュート解除指示を示すミュート解除操作が行われたかどうかを判定し、前記キャプチャー部は、前記ミュート解除操作が行われた場合に、前記画像のキャプチャーを再開し、前記送信部は、前記ミュート解除操作が行われた場合に、前記ミュート画像データに代えて前記画像情報を前記表示装置へ向け送信してもよい。
【００１２】
これによれば、画像供給装置は、ミュート設定時に処理負荷を軽減する処理を実行した場合であっても、ミュート設定解除時に表示装置に通常の画像の表示を迅速に再開させることができる。
【００１３】
また、前記判定部は、前記キャプチャー部に、前記画像情報の初回送信時および前記画像情報の供給再開時に前記描画メモリにおける前記画像の全体を示す画像情報を生成させ、前記画像情報の初回送信時ではなく、かつ、前記画像情報の供給再開時ではない場合に、前記描画メモリにおける前回の描画時と比較して変化した領域の画像を示す画像情報を生成させてもよい。
【００１４】
これによれば、画像供給装置は、通常は変化した領域の画像を示す画像情報を送信することにより、通信時の処理負荷を軽減することができる上、画像情報の供給を停止した場合であっても、画像情報の供給再開時に描画メモリにおける画像全体を示す画像情報を送信することにより、表示装置に適切な画像を表示させることができる。
【００１５】
また、前記送信部は、前記ミュート画像データの送信後、前記ミュート解除操作が行われるまで送信を停止してもよい。
【００１６】
これによれば、画像供給装置は、ミュート画像データの送信後、ミュート解除操作が行われるまで送信を停止することにより、送信負荷を軽減することができる。
【発明を実施するための最良の形態】
【００１７】
以下、本発明をＰＣに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１８】
図１は、本実施例におけるＰＣ２００の機能ブロック図である。画像供給装置の一種であるＰＣ２００は、表示装置の一種であるプロジェクタ１００へ向け画像情報等を送信（供給）する送信部２１０と、ユーザの操作（例えば、キーボード、マウス等による操作、マイク等を用いた音声指示による操作等）に応じて操作内容を示す操作情報を生成する操作部２３０と、当該操作情報に基づき、プロジェクタ１００に対する画像のミュート指示を示すミュート設定操作が行われたかどうかを判定する判定部２４０を含んで構成されている。
【００１９】
また、ＰＣ２００は、描画メモリ２６０と、画像を生成して描画メモリ２６０に書き込む画像生成部２５０と、描画メモリ２６０に書き込まれた画像を表示する表示部２９０と、描画メモリ２６０における画像の少なくとも一部をキャプチャーして当該画像の少なくとも一部を示す画像情報を生成するキャプチャー部２２０と、ミュート設定操作が行われたことを示すミュート画像データ２７２を記憶する記憶部２７０を含んで構成されている。
【００２０】
なお、ミュート画像データ２７２のデータ形式としては、例えば、プロジェクタ１００がそのまま使用可能な画像データ（例えば、ＲＧＢ形式の画像データ等）、プロジェクタ１００が展開して使用可能な画像データ（例えば、ＰＮＧ(Portable Network Graphics)形式の画像データ、圧縮画像データ、暗号化データ等）、動画像データ等が採用されてもよい。
【００２１】
また、キャプチャー部２２０は、描画メモリ２６０において、１つ前のフレーム（例えば、ｎ−１フレーム。なお、ｎは２以上の整数）で生成された画像全体と現在のフレーム（例えば、ｎフレーム）で生成された画像全体を比較し、変化した領域（変化領域）の画像を示す画像情報を生成する。また、キャプチャー部２２０は、初回の場合およびミュート設定の解除時に描画メモリ２６０における画像の全体をキャプチャーして当該画像全体を示す画像情報を生成し、２回目以降の場合に変化領域の画像を示す画像情報を生成する。また、描画メモリ２６０は、少なくとも２フレーム分の画像情報を記憶可能な容量を有する。
【００２２】
また、これらの各部は、例えば、以下のハードウェアを用いて実装されてもよい。例えば、送信部２１０としては有線通信ユニット、無線通信ユニット等、キャプチャー部２２０としては画像処理回路、ＶＲＡＭ等、操作部２３０としてはボタン、リモートコントローラ等、判定部２４０としてはＣＰＵ、ＲＡＭ等、画像生成部２５０としては画像処理回路等、描画メモリ２６０としてはＶＲＡＭ等、記憶部２７０としてはＲＡＭ等、表示部２９０としては液晶ディスプレイ等が採用されてもよい。
【００２３】
また、ＰＣ２００は、情報記憶媒体３００に記憶されたプログラムを読み取ることにより、判定部２４０等の機能を実装してもよい。このような情報記憶媒体３００としては、例えば、ＣＤ−ＲＯＭ、ＤＶＤ−ＲＯＭ、ＲＯＭ、ＲＡＭ、ＨＤＤ等を適用でき、そのプログラムの読み取り方式は接触方式であっても、非接触方式であってもよい。
【００２４】
次に、これらの各部を用いた画像処理手順について説明する。図２は、本実施例における処理手順を示すフローチャートである。ＰＣ２００の判定部２４０は、操作部２３０からの操作情報に基づき、ミュート設定操作が行われたかどうかを判定する（ステップＳ１）。例えば、ミュート設定操作として、ＰＣ２００がノート型ＰＣである場合、キーボードの「Ｆｎ」キーと「Ａ」キーを同時に押す操作が適用されてもよい。
【００２５】
ミュート操作が行われた場合、判定部２４０は、判定部２４０内部のフラグやレジスタで示されるＰＣ２００の状態を供給中断状態に設定する（ステップＳ２）。また、この場合、送信部２１０は、判定部２４０からの指示に応じてミュート画像データ２７２（ミュート画像データ２７２に対して暗号化、圧縮、分割、ヘッダ情報の付加等が行われた情報でもよい。）をプロジェクタ１００へ向け送信する（ステップＳ３）なお、ＰＣ２００は、ミュート設定操作が行われた場合だけミュート画像データ２７２を送信してもよいし、ミュート設定操作が行われてからミュート解除操作が行われるまで一定時間ごとにミュート画像データ２７２を送信してもよい。
【００２６】
プロジェクタ１００は、ミュート画像データ２７２を受信し、ミュート画像データ２７２に基づき、ミュート画像を表示する。図３は、本実施例におけるミュート画像４００の一例を示す図である。
【００２７】
例えば、プロジェクタ１００は、ミュート画像データ２７２に基づき、全体が黒色のミュート画像４００を表示する。これにより、プロジェクタ１００でミュート操作が行われた状態と同じ状態になる。
【００２８】
また、ミュート操作が行われなかった場合、判定部２４０は、操作部２３０からの操作情報に基づき、ミュート解除操作が行われたかどうかを判定する（ステップＳ４）。ミュート解除操作が行われた場合、判定部２４０は、判定部２４０内部のフラグやレジスタで示されるＰＣ２００の状態を供給可能状態に設定し、供給中断状態を解除する（ステップＳ５）。例えば、ミュート解除操作として、ＰＣ２００がノート型ＰＣである場合、キーボードの「Ｆｎ」キーと「Ｑ」キーを同時に押す操作が適用されてもよい。
【００２９】
以上の操作情報の判定が終了した場合、判定部２４０は、現在のＰＣ２００の状態が供給中断状態ではないかどうかを判定する（ステップＳ６）。供給中断状態ではない場合、キャプチャー部２２０は、画像生成部２５０によって画像が生成される描画メモリ２６０における変化領域の画像をキャプチャーし、画像情報を生成する（ステップＳ７）。なお、変化領域の具体的な検出手法等については、特開２００６−５８６６８号公報に記載されているため、説明を省略する。
【００３０】
送信部２１０は、キャプチャー部２２０によって生成された画像情報をプロジェクタ１００へ向け送信する（ステップＳ８）。プロジェクタ１００は、画像情報を受信し、画像情報に基づき、当該画像情報で表される画像の変化部分を現在の画像に上書きして画像を生成して表示する。なお、供給中断状態の場合、ＰＣ２００は、ステップＳ７、Ｓ８の処理を実行しない。
【００３１】
表示部２９０は、判定部２４０によって判定される状態に関わらず、画像生成部２５０によって描画メモリ２６０に生成された画像を表示する（ステップＳ９）。すなわち、ＰＣ２００は、供給中断状態の場合、プロジェクタ１００に送信する画像情報の生成、送信は中断するが、画像の生成、表示は続行する。
【００３２】
ＰＣ２００は、ＰＣ２００の電源ボタンがオフにされたこと等を検出することによって画像処理を終了すべきかどうかを判定し（ステップＳ１０）、例えば、電源ボタンがオフにされた場合、画像処理を終了する。なお、ＰＣ２００は、画像処理を終了しない場合、上述した処理（ステップＳ１〜Ｓ１０）を繰り返し実行する。
【００３３】
以上のように、本実施例によれば、ＰＣ２００は、ミュート設定操作が行われた場合にミュート画像データ２７２をプロジェクタ１００へ向け送信することにより、画像情報の伝送路と同一の伝送路を使用してミュート画像データ２７２を送信することができる。また、ＰＣ２００は、プロジェクタ１００に、ミュート画像データ２７２に基づいてミュート画像４００を表示させることにより、プロジェクタ１００でミュート操作が行われた状態と同じ状態を実現することができる。
【００３４】
これにより、ＰＣ２００は、より汎用的にプロジェクタ１００に対するミュート設定を行うことができる。また、ユーザは、プロジェクタ１００本体のボタンやプロジェクタ１００のリモートコントローラを使用することなく、ＰＣ２００のキーボード操作だけでプロジェクタ１００に対するミュート設定を行うことができる。
【００３５】
また、本実施例によれば、ＰＣ２００は、ミュート設定操作が行われた場合に画像情報の生成、送信を停止することにより、ミュート設定時における処理負荷を軽減することができる。これにより、ＰＣ２００の省電力化も実現できる。
【００３６】
また、本実施例によれば、ＰＣ２００は、ミュート設定時に処理負荷を軽減する処理を実行した場合であっても、ミュート解除操作が行われた場合に画像情報の生成、送信を再開することにより、ミュート設定解除時にプロジェクタ１００に通常の画像の表示を迅速に再開させることができる。
【００３７】
また、本実施例によれば、ＰＣ２００は、通常は変化した領域の画像を示す画像情報を送信することにより、通信時の処理負荷を軽減することができる上、画像情報の供給を停止した場合であっても、画像情報の供給再開時に描画メモリにおける画像全体を示す画像情報を送信することにより、プロジェクタ１００に適切な画像を表示させることができる。
【００３８】
また、本実施例によれば、ＰＣ２００は、ミュート画像データ２７２の送信後、ミュート解除操作が行われるまで送信を停止することにより、送信負荷を軽減することができる。
【００３９】
なお、本発明の適用は上述した実施例に限定されず、種々の変形が可能である。例えば、ミュート画像４００は、上述した画像全体が黒色の画像には限定されず、種々の画像を採用可能である。すなわち、本実施例における画像のミュート機能は、単に画像を消す機能に留まらず、表示中の画像に代えて異なる種別の画像を表示する機能を有してもよい。
【００４０】
図４は、本実施例におけるミュート画像４０１の他の一例を示す図である。また、図５は、本実施例におけるミュート画像４０２の他の一例を示す図である。また、図６は、本実施例におけるミュート画像４０３の他の一例を示す図である。
【００４１】
例えば、ミュート画像４０１は、いわゆるユーザロゴ画像を示す。また、ミュート画像４０２は、休憩中であること、現在の時刻、会議の再開予定時刻を示す。なお、このような現在の時刻を示す場合、画像生成部２５０が、ＰＣ２００の内部のシステムタイマ等の値に基づいて現在の時刻を決定し、ミュート画像４０２を表示させるための画像情報を生成してもよい。
【００４２】
また、ミュート画像４０３は、会議の議題を示す画像である。なお、このようなプレゼンテーションの内容を示す画像やユーザロゴ画像を示す場合、画像生成部２５０が、記憶部２７０に記憶された画像データに基づいてミュート画像４０１、４０３を表示させるための画像情報を生成してもよい。
【００４３】
また、ミュート設定操作とミュート解除操作は同じ操作であってもよい。例えば、判定部２４０がミュート操作回数をカウントし、当該ミュート操作回数が奇数の場合はミュート設定操作と判定し、当該ミュート操作回数が偶数の場合はミュート解除操作と判定してもよい。
【００４４】
また、表示装置は、プロジェクタ１００には限定されず、例えば、テレビ、液晶ディスプレイ等の種々の表示装置を採用可能である。また、画像供給装置は、ＰＣ２００には限定されず、例えば、携帯電話、ゲーム装置、ＤＶＤプレーヤ等の種々の装置を採用可能である。
【００４５】
また、プロジェクタ１００は、光変調器として、液晶パネル、ＬＣＯＳ(Liquid Crystal On Silicon)、ＤＭＤ(Digital Micromirror Device)を用いたプロジェクタ等であってもよい。なお、ＤＭＤは米国テキサス・インスツルメンツ社の商標である。また、また、ＰＣ２００の機能を複数の装置に分散して実装してもよい。例えば、画像生成部２５０、描画メモリ２６０の機能をＤＶＤプレーヤに、表示部２９０の機能をテレビに、送信部２１０、キャプチャー部２２０、判定部２４０、記憶部２７０の機能をＰＣに設けてもよい。
【図面の簡単な説明】
【００４６】
【図１】本実施例におけるＰＣの機能ブロック図である。
【図２】本実施例における処理手順を示すフローチャートである。
【図３】本実施例におけるミュート画像の一例を示す図である。
【図４】本実施例におけるミュート画像の他の一例を示す図である。
【図５】本実施例におけるミュート画像の他の一例を示す図である。
【図６】本実施例におけるミュート画像の他の一例を示す図である。
【符号の説明】
【００４７】
１００  プロジェクタ（表示装置）、２００  ＰＣ（画像供給装置）、２１０  送信部、２２０  キャプチャー部、２３０  操作部、２４０  判定部、２５０  画像生成部、２６０  描画メモリ、２７０  記憶部、２７２  ミュート画像データ、２９０  表示部、３００  情報記憶媒体、４００〜４０３  ミュート画像
【図１】
2009186890.tif 000003
【図２】
2009186890.tif 000004
【図３】
2009186890.tif 000005
【図４】
2009186890.tif 000006
【図５】
2009186890.tif 000007
【図６】
2009186890.tif 000008